(57)【要約】【課題】  高画質の映像音声データを録画するとともに、高画質の映像音声データのビットレートを変換して、着脱可能な記録媒体への高速ダビングすることができ、録画された映像音声データを自動的に消去して記録媒体の記憶領域の空き容量が不足しないようにすることができるようにする。【解決手段】  映像信号データを第１の記録媒体の第１の記憶領域に録画して、映像音声データを復号して予め設定されたビットレートの映像音声データに変換し、第２の記録媒体のフォーマットで符号化して第１の記録媒体の第２の記憶領域に録画して、第１の記録媒体の第２の記憶領域に録画された映像音声データを第２の記録媒体にダビングする。第１の記録媒体の第１、第２の記憶領域に録画された映像音声データの保存優先度を評価して、第１の記録媒体の第１、第２の記憶領域の空き容量の不足が検出されたとき、保存優先度の低い映像音声データを消去するようにする。【選択図】        図１
2005260562.tif 000002
【特許請求の範囲】
【請求項１】
映像音声データを第１、第２の記憶領域に分割された第１の記録媒体に録画再生するとともに、映像音声データを着脱可能な第２の記録媒体にダビングする機能を有する録画再生装置であって、
映像信号データを前記第１の記録媒体の第１の記憶領域に録画する第１の録画手段と、映像音声データを復号するデコード手段と、前記デコード手段により復号された映像音声データを予め設定されたビットレートの映像音声データに変換する解像度変換手段と、前記解像度変換手段によりビットレートが変換された映像音声データを前記第２の記録媒体のフォーマットで符号化するエンコーダ手段と、前記エンコーダ手段により符号化された映像音声データを前記第１の記録媒体の第２の記憶領域に録画する第２の録画手段と、前記第１の記録媒体の第２の記憶領域に録画された映像音声データを前記第２の記録媒体にダビングするダビング手段と、所定時間が経過する毎に、前記第１、第２の記憶領域に録画された映像音声データの複数の評価項目毎に評価点数を評価し、その評価点数を合計して映像音声データの保存優先度を評価する評価手段と、所定時間が経過する毎に、前記第１の記録媒体の第１、第２の記憶領域の空き容量を監視して、前記第１の記録媒体の第１、第２の記憶領域の空き容量の不足を検出する検出手段と、前記検出手段により前記第１の記録媒体の第１、第２の記憶領域の空き容量の不足が検出されたとき、保護設定された映像音声データを除外して、前記評価手段により評価された保存優先度の低い映像音声データを前記第１の記録媒体の第１、第２の記憶領域から消去する消去手段とを備えたことを特徴とする録画再生装置。
【請求項２】
映像音声データを第１、第２の記憶領域に分割された第１の記録媒体に録画再生するとともに、映像音声データを着脱可能な第２の記録媒体にダビングする機能を有する録画再生装置であって、
映像信号データを前記第１の記録媒体の第１の記憶領域に録画する第１の録画手段と、映像音声データを復号するデコード手段と、前記デコード手段により復号された映像音声データを予め設定されたビットレートの映像音声データに変換する解像度変換手段と、前記解像度変換手段によりビットレートが変換された映像音声データを前記第２の記録媒体のフォーマットで符号化するエンコーダ手段と、前記エンコーダ手段により符号化された映像音声データを前記第１の記録媒体の第２の記憶領域に録画する第２の録画手段と、前記第１の記録媒体の第２の記憶領域に録画された映像音声データを前記第２の記録媒体にダビングするダビング手段と、所定時間が経過する毎に、前記第１の記録媒体の第１、第２の記憶領域に録画された映像音声データの保存優先度を評価する評価手段と、所定時間が経過する毎に、前記第１の記録媒体の第１、第２の記憶領域の空き容量を監視して、前記第１の記録媒体の第１、第２の記憶領域の空き容量の不足を検出する検出手段と、前記検出手段により前記第１の記録媒体の第１、第２の記憶領域の空き容量の不足が検出されたとき、前記評価手段により評価された保存優先度の低い映像音声データを前記第１の記録媒体の第１、第２の記憶領域から消去する消去手段とを備えたことを特徴とする録画再生装置。
【請求項３】
前記評価手段は、前記第１、第２の記憶領域に録画された映像音声データの複数の評価項目毎に評価点数を評価し、その評価点数を合計して映像音声データの保存優先度を評価する評価手段であることを特徴とする請求項２記載の録画再生装置。
【請求項４】
前記消去手段は、保護設定された映像音声データを除外して、前記第１の記録媒体の第１、第２の記憶領域に録画された保存優先度の低い映像音声データを消去する消去手段であることを特徴とする請求項２記載の録画再生装置。
【請求項５】
映像音声データを第１、第２の記憶領域に分割された第１の記録媒体に録画再生するとともに、映像音声データを着脱可能な第２の記録媒体にダビングする機能を有する録画再生装置の録画再生方法であって、
映像音声データを前記第１の記録媒体の第１の記憶領域に録画するステップと、映像音声データを復号して予め設定されたビットレートの映像音声データに変換し、ビットレートが変換された映像音声データを前記第２の記録媒体のフォーマットで符号化して前記第１の記録媒体の第２の記憶領域に録画するステップと、映像音声データの再生が指令されたとき、前記第１の記録媒体の第１の記憶領域に録画された映像音声データを再生するステップと、映像音声データのダビングが指令されたとき、前記第１の記録媒体の第２の記憶領域に録画された映像音声データを第２の記録媒体にダビングするステップと、所定時間が経過する毎に、前記第１の記録媒体の第１、第２の記憶領域に録画された映像音声データの複数の評価項目毎の評価点数を評価し、その評価点数を合計して映像音声データの保存優先度を評価するステップと、所定時間が経過する毎に、前記第１の記録媒体の第１、第２の記憶領域の空き容量の不足を検出して、前記第１の記録媒体の第１、第２の記憶領域の空き容量が不足が検出されたとき、保護設定された映像音声データを除外して、保存優先度の低い映像音声データを前記第１の記録媒体の第１、第２の記憶領域から消去するステップとを備えたことを特徴とする録画再生装置の録画再生方法。
【発明の詳細な説明】
【技術分野】
【０００１】
本発明は、映像音声データを記録再生する録画再生装置に係り、特に映像音声データのビットレートを変換して、着脱可能な記録媒体への高速ダビングを可能にするとともに、録画された映像音声データを自動的に消去して記録媒体の記憶領域の空き容量が不足しないようにすることができる録画再生装置に関する。
【背景技術】
【０００２】
近年、テレビ放送がデジタル化され、デジタル放送の高画質のテレビ放送番組を視聴することができるようになってきている。しかし、高画質の映像音声データはデータ量が非常に大きく、例えば、２４Ｍｂｐｓのビットレートの映像音声データの場合、１時間の映像音声データのデータ量が約１０．５ＧＢとなり、それを録画するためには、大容量のＨＤＤ（Ｈａｒｄ  Ｄｉｓｋ  Ｄｒｉｖｅ）が必要である。また、ＤＶＤ−Ｒ（Ｄｉｇｉｔａｌ  Ｖｅｓａｔｉｌｅ  Ｄｉｓｋ−Ｒｅｃｏｒｄａｂｌｅ）、ＤＶＤ−ＲＷ（Ｄｉｇｉｔａｌ  Ｖｅｒｓａｔｉｌｅ  Ｄｉｓｋ−ＲｅＷｒｉｔａｂｌｅ）等は、記憶容量が４．７ＧＢであるため、２４Ｍｂｐｓのビットレートの映像音声データを２７分程度しか録画することができないという問題点があった。そのため、ＨＤＤに録画された高画質の映像音声データをＤＶＤにダビングする際には、ＨＤＤに録画された高画質の映像音声データのビットレートを変換し、低ビットレートの映像音声信号にしてＤＶＤにダビングしなければならず、ダビングには録画時間と同じ程度の作業時間を必要としていた。また、大容量のＨＤＤであっても記憶領域が有限であるため、ユーザが必要に応じてＨＤＤの記憶領域に録画された映像音声データを消去しなければ、ＨＤＤの記憶領域が不足してテレビ放送番組をＨＤＤに録画することができなくなるという問題点があった。
背景技術としては、映像音声信号を映像音声データに符号化して記録媒体に記録し、記録媒体に記録された映像音声データを映像音声信号に復号して再生しつつ、復号された映像音声信号を映像音声データに再び符号化して映像音声データを記録媒体に高速ダビングするようにしたものがあった（例えば、特許文献１参照）。
また、着脱可能な情報データ記録用デバイスから実再生時間よりも高速で情報データを読み出し、読み出された情報データをディスク記録媒体に書き込み、その書き込みと同時に再生データとして出力するようにしたものがあった（例えば、特許文献２参照）。
また、記録媒体に蓄積された画像データのストリーム中に、予め所定間隔で埋め込まれた画質変換を後で実行するときに利用する符号化統計量を取得し、取得された符号統計量に基づいて高画質の画像データに変換するようにしたものがあった（例えば、特許文献３参照）。
また、ユーザー指示により外部入力信号のデジタルデータと記録されたデータをデコードしたデジタルデータとを切り換えて、外部入力信号のデジタルデータと記録されたデータをデコードしたデジタルデータとの一方のデジタルデータをエンコードし、フォーマット変換しながらダビングするようにしたものがあった（例えば、特許文献４参照）。
また、記録される放送番組の記録保持条件を設定して、放送番組をその記録保持条件に係るデータとともに記録媒体に記録し、記録済の記録保持条件に係るデータをチェックして、記録媒体に記録されている放送番組のうち記録保持条件から外れた放送番組を消去するようにしたものがあった（例えば、特許文献５参照）。
【特許文献１】特開２００３−２２４８１３号公報
【特許文献２】特開２００３−２４９００８号公報
【特許文献３】特開２００３−３２４６８０号公報
【特許文献４】特開２００３−１０９３０７号公報
【特許文献５】特開２００３−２８９４９０号公報
【発明の開示】
【発明が解決しようとする課題】
【０００３】
しかしながら、背景技術で述べたもののうち最初のものにおいては、映像音声信号を映像音声データに符号化して記録媒体に記録し、記録媒体に記録された映像音声データを映像音声信号に復号して再生しつつ、復号された映像音声信号を映像音声データに再び符号化して映像音声データを記録媒体に高速ダビングすることができたが、２つのデコーダと２つのエンコーダとが必要であり、映像音声データの再生中に映像音声データを高速でダビングするために高速のデコーダ、エンコーダを必要とするという問題点があった。
また、次のものにおいては、着脱可能な情報データ記録用デバイスから実再生時間よりも高速で情報データを読み出し、読み出された情報データをディスク記録媒体に書き込み、その書き込みと同時に再生データとして出力することができたが、ユーザが必要に応じてＨＤＤの記憶領域に録画された映像音声データを消去しなければ、ＨＤＤの記憶領域が不足して、テレビ放送番組をＨＤＤの記憶領域に録画することができなくなるという上記問題点を解決するようにしたものではなかった。
また、更にその次のものにおいては、記録媒体に蓄積された画像データのストリーム中に、予め所定間隔で埋め込まれた画質変換を後で実行するときに利用する符号化統計量を取得し、取得された符号統計量に基づいて高画質の画像データに変換することができたが、上記同様、上記問題点を解決するようにしたものではなかった。
また、更にその次のものにおいては、ユーザー指示により外部入力信号のデジタルデータと記録されたデータをデコードしたデジタルデータとを切り換えて、外部入力信号のデジタルデータと記録されたデータをデコードしたデジタルデータとの一方のデジタルデータをエンコードし、フォーマット変換しながらダビングすることができたが、上記同様、上記問題点を解決するようにしたものではなかった。
また、更にその次のものにおいては、記録される放送番組の記録保持条件を設定して、放送番組をその記録保持条件に係るデータとともに記録媒体に記録し、記録済の記録保持条件に係るデータをチェックして、記録媒体に記録されている放送番組のうち記録保持条件から外れた放送番組を消去することができたが、設定された記録保持条件が自動的に設定変更されないため、記憶領域の空き容量が不足しても記録保持条件から外れたもの以外が消去されず、映像音声データを録画することができないという問題点があった。
本発明は、背景技術の有するこのような問題点に鑑みてなされたものであり、その目的とするところは、高画質の映像音声データを録画するとともに、高画質の映像音声データのビットレートを変換して、着脱可能な記録媒体への高速ダビングすることができ、録画された映像音声データを自動的に消去して記録媒体の記憶領域の空き容量が不足しないようにすることができる録画再生装置を提供しようとするものである。
【課題を解決するための手段】
【０００４】
上記目的を達成するため本発明においては、映像音声データを第１、第２の記憶領域に分割された第１の記録媒体に録画再生するとともに、映像音声データを着脱可能な第２の記録媒体にダビングする機能を有する録画再生装置であって、映像信号データを前記第１の記録媒体の第１の記憶領域に録画する第１の録画手段と、映像音声データを復号するデコード手段と、前記デコード手段により復号された映像音声データを予め設定されたビットレートの映像音声データに変換する解像度変換手段と、前記解像度変換手段によりビットレートが変換された映像音声データを前記第２の記録媒体のフォーマットで符号化するエンコーダ手段と、前記エンコーダ手段により符号化された映像音声データを前記第１の記録媒体の第２の記憶領域に録画する第２の録画手段と、前記第１の記録媒体の第２の記憶領域に録画された映像音声データを前記第２の記録媒体にダビングするダビング手段と、所定時間が経過する毎に、前記第１の記録媒体の第１、第２の記憶領域に録画された映像音声データの保存優先度を評価する評価手段と、所定時間が経過する毎に、前記第１の記録媒体の第１、第２の記憶領域の空き容量を監視して、前記第１の記録媒体の第１、第２の記憶領域の空き容量の不足を検出する検出手段と、前記検出手段により前記第１の記録媒体の第１、第２の記憶領域の空き容量の不足が検出されたとき、前記評価手段により評価された保存優先度の低い映像音声データを前記第１の記録媒体の第１、第２の記憶領域から消去する消去手段とを備える。
前記評価手段は、前記第１、第２の記憶領域に録画された映像音声データの複数の評価項目毎に評価点数を評価し、その評価点数を合計して映像音声データの保存優先度を評価するようにするとよい。
前記消去手段は、保護設定された映像音声データを除外して、前記第１の記録媒体の第１、第２の記憶領域に録画された保存優先度の低い映像音声データを消去するようにするとよい。
これらの手段により、高画質の映像音声データを録画するとともに、高画質の映像音声データのビットレートを変換して、着脱可能な記録媒体への高速ダビングすることができ、録画された映像音声データを自動的に消去して記録媒体の記憶領域の空き容量が不足しないようにすることができる。
【発明の効果】
【０００５】
請求項１記載の発明に係る録画再生装置によれば、映像信号データを第１の記録媒体の第１の記憶領域に録画して、映像音声データを復号して予め設定されたビットレートの映像音声データに変換し、ビットレートが変換された映像音声データを第２の記録媒体のフォーマットで符号化して、符号化された映像音声データを第１の記録媒体の第２の記憶領域に録画し、第１の記録媒体の第２の記憶領域に録画された映像音声データを第２の記録媒体にダビングするとともに、所定時間が経過する毎に、第１、第２の記憶領域に録画された映像音声データの複数の評価項目毎に評価点数を評価して、その評価点数を合計して映像音声データの保存優先度を評価し、所定時間が経過する毎に、第１の記録媒体の第１、第２の記憶領域の空き容量を監視して、第１の記録媒体の第１、第２の記憶領域の空き容量の不足が検出されたとき、保護設定された映像音声データを除外して、保存優先度の低い映像音声データを第１の記録媒体の第１、第２の記憶領域から消去するようにしているので、高画質の映像音声データを録画するとともに、高画質の映像音声データのビットレートを変換して、着脱可能な記録媒体への高速ダビングすることができ、録画された映像音声データを自動的に消去して記録媒体の記憶領域の空き容量が不足しないようにすることができる。
請求項２記載の発明に係る録画再生装置によれば、映像信号データを第１の記録媒体の第１の記憶領域に録画して、映像音声データを復号して予め設定されたビットレートの映像音声データに変換し、ビットレートが変換された映像音声データを第２の記録媒体のフォーマットで符号化して、符号化された映像音声データを第１の記録媒体の第２の記憶領域に録画し、第１の記録媒体の第２の記憶領域に録画された映像音声データを第２の記録媒体にダビングするとともに、所定時間が経過する毎に、第１の記録媒体の第１、第２の記憶領域に録画された映像音声データの保存優先度を評価し、所定時間が経過する毎に、第１の記録媒体の第１、第２の記憶領域の空き容量を監視して、第１の記録媒体の第１、第２の記憶領域の空き容量の不足が検出されたとき、保存優先度の低い映像音声データを第１の記録媒体の第１、第２の記憶領域から消去するようにしているので、高画質の映像音声データを録画するとともに、高画質の映像音声データのビットレートを変換して、着脱可能な記録媒体への高速ダビングすることができ、録画された映像音声データを自動的に消去して記録媒体の記憶領域の空き容量が不足しないようにすることができる。
請求項３記載の発明に係る録画再生装置によれば、第１、第２の記憶領域に録画された映像音声データの複数の評価項目毎に評価点数を評価し、その評価点数を合計して映像音声データの保存優先度を評価するようにしているので、映像音声データの複数の評価項目毎の評価点数を評価し、その評価点数の合計点数により保存優先度を評価することができる。
請求項４記載の発明に係る録画再生装置によれば、保護設定された映像音声データを除外して、第１の記録媒体の第１、第２の記憶領域に録画された保存優先度の低い映像音声データを消去するようにしているので、保護設定された映像音声データが消去されないようにし、保存優先度の低い映像音声データを第１の記録媒体の第１、第２の記憶領域から消去して、第１の記録媒体の第１、第２の記憶領域のそれぞれの空き容量が不足しないようにすることができる。
請求項５記載の発明に係る録画再生装置によれば、映像音声データを第１の記録媒体の第１の記憶領域に録画して、映像音声データを復号して予め設定されたビットレートの映像音声データに変換し、ビットレートが変換された映像音声データを第２の記録媒体のフォーマットで符号化して第１の記録媒体の第２の記憶領域に録画し、映像音声データの再生が指令されたとき、第１の記録媒体の第１の記憶領域に録画された映像音声データを再生し、映像音声データのダビングが指令されたとき、第１の記録媒体の第２の記憶領域に録画された映像音声データを第２の記録媒体にダビングするとともに、所定時間が経過する毎に、第１の記録媒体の第１、第２の記憶領域に録画された映像音声データの複数の評価項目毎の評価点数を評価し、その評価点数を合計して映像音声データの保存優先度を評価し、所定時間が経過する毎に、第１の記録媒体の第１、第２の記憶領域の空き容量の不足を検出して、第１の記録媒体の第１、第２の記憶領域の空き容量が不足が検出されたとき、保護設定された映像音声データを除外して、保存優先度の低い映像音声データを第１の記録媒体の第１、第２の記憶領域から消去するようにしているので、高画質の映像音声データを録画するとともに、高画質の映像音声データのビットレートを変換して、着脱可能な記録媒体への高速ダビングすることができ、録画された映像音声データを自動的に消去して記録媒体の記憶領域の空き容量が不足しないようにすることができる。
【発明を実施するための最良の形態】
【０００６】
以下、適宜図面を参照しながら本発明を実施するための最良の形態を詳述する。図１は本発明の一実施例の録画再生装置の構成を示すブロック図であり、図２は本発明の一実施例の録画再生装置のリモコン装置を示す説明図であり、図３は本発明の一実施例の録画再生装置の動作設定を示す説明図であり、図４は本発明の一実施例の録画再生装置の評価点数の一例を示す説明図であり、図５は本発明の一実施例の録画再生装置の録画動作を示すフローチャートであり、図６は本発明の一実施例の録画再生装置の再生／ダビング動作を示すフローチャートであり、図７は本発明の一実施例の録画再生装置の自動クリーンアップ動作を示すフローチャートである。
まず、図１の本発明の一実施例の録画再生装置の構成を示すブロック図を基に説明する。
録画再生装置１は、映像音声データをハードディスクに記録再生する第１の記憶領域２ａと第２の記憶領域２ｂとに分割されたＨＤＤ部２と、映像音声データをＤＶＤ−Ｒ、ＤＶＤ−ＲＷに記録再生するＤＶＤ部３と、ＨＤＤ部２とＤＶＤ部３との記録再生動作を制御するストレージ制御部４と、ＭＰＥＧ−ＴＳ（Ｍｏｖｉｎｇ  Ｐｉｃｔｕｒｅ  Ｃｏｄｉｎｇ  Ｅｘｐｅｒｔｓ  Ｇｒｏｕｐ−Ｔｒａｎｓｐｏｒｔ  Ｓｔｒｅａｍ）のタイムスタンプ処理、ＭＰＥＧ−ＰＳ（Ｍｏｖｉｎｇ  Ｐｉｃｔｕｒｅ  Ｃｏｄｉｎｇ  Ｅｘｐｅｒｔｓ  Ｇｒｏｕｐ−Ｐｒｏｇｒａｍ  Ｓｔｒｅａｍ）／ＭＰＥＧ−ＴＳの多重化、ＭＰＥＧ−ＰＳ／ＭＰＥＧ−ＴＳの多重化の解除、ＭＰＥＧ−ＰＳ／ＭＰＥＧ−ＴＳの変換を行うストリーム処理部５と、アンテナ２１により受信されたデジタル放送のテレビ放送電波から選択されたチャンネルのデジタル放送を受信するデジタルチューナ６と、アンテナ２１により受信されたアナログ放送のテレビ放送電波から選択されたチャンネルのアナログ放送を受信するアナログチューナ７と、アナログ信号の映像音声信号をデジタル信号の映像音声データに変換するＡＤ（Ａｎａｌｏｇ−Ｄｉｇｉｔａｌ）変換回路８と、デジタル信号の映像音声データをＭＰＥＧ方式で圧縮してデジタル信号の映像音声データを符号化するエンコーダ９と、高ビットレートの映像音声データを低ビットレートの映像音声データに変換する解像度変換部１０と、ＭＰＥＧ方式で圧縮されたデジタル信号の映像音声データを伸長してデジタル信号の映像音声データを復号するデコーダ１１と、デジタル信号の映像音声データをアナログ信号の映像音声信号に変換するＤＡ（Ｄｉｇｉｔａｌ−Ａｎａｌｏｇ）変換回路１２と、文字情報信号を映像信号に重畳してモニタ装置４０の画面に文字情報を表示するＯＳＤ（Ｏｎ−Ｓｃｒｅｅｎ  Ｃｈａｒａｃｔｅｒ  Ｄｉｓｐｌａｙ）回路１３と、デジタル信号の映像音声データをパケット転送するリンクレイヤ１４と、デジタル信号の映像音声データを送受信する物理レイヤ１５と、録画再生装置１のシステム全体を制御するマイコン１６と、ＲＡＭ（Ｒａｎｄｏｍ  Ａｃｃｅｓｓ  Ｍｅｍｏｒｙ）１７へのデータの読み書きとＲＯＭ（Ｒｅａｄ  Ｏｎｌｙ  Ｍｅｍｏｒｙ）１８からのデータの読み出しとを制御するメモリ制御部１９と、リモコン装置３０から送信されたリモコン信号を受信して所定の電気信号に変換するリモコン受信部２０とで構成されている。
また、リモコン装置３０には、図２に示すように、メニュ画面の表示を指令するメニュキー３０ａ、メニュ画面に表示された項目を選択するカーソルキー３０ｂ、カーソルキー３０ｂにより選択された項目の設定を決定する決定キー３０ｃ、映像音声データの再生を指令する再生キー３０ｄ、映像音声データの再生等の動作の停止を指令する停止キー３０ｅ等の複数の操作キーが設けられていて、それらの操作キーを操作することにより録画再生装置１を所望動作させることができるようになっている。
以上のように構成された録画再生装置について、以下その動作について説明する。
リモコン装置３０の操作キーが操作されると、操作された操作キーのリモコン信号が赤外線信号のリモコン信号としてリモコン装置３０から送信され、リモコン受信部２０により受信され、所定の電気信号に変換されてマイコン１６に送出される。リモコン装置３０のメニュキー３０ａのリモコン信号を受信すると、マイコン１６は、文字情報信号と制御信号とをＯＳＤ回路１２に送出して、モニタ装置４０の画面にメニュ画面（図示せず）を表示し、リモコン装置３０のカーソルキー３０ｂと決定キー３０ｃとのキー操作によりメニュ画面の高速ダビングの設定が選択されると、文字情報信号と制御信号とをＯＳＤ回路１２に送出して、高速ダビングの設定画面をモニタ装置４０の画面４０ａに表示する（図３（ａ）参照）。そして、リモコン装置３０のカーソルキー３０ｂと決定キー３０ｃとのキー操作により高速ダビングの設定画面に表示された設定項目のダビングデータの自動作成のＯＮ／ＯＦＦ、ダビングモードが設定されると、マイコン１６は、メモリ制御部１９に制御信号を送出して、設定された高速ダビングの設定をＲＡＭ１７に記憶する。ダビングモードがＸＰモード、ＬＰモード、或いはＥＰモードに設定されると、１時間、４時間、或いは６時間の映像音声データをＤＶＤ−ＲＷ、ＤＶＤ−Ｒに録画することができる。
また、リモコン装置３０ののカーソルキー３０ｂと決定キー３０ｃとのキー操作によりメニュ画面（図示せず）の自動クリーンアップの設定が選択されると、マイコン１６は、文字情報信号と制御信号とをＯＳＤ回路１２に送出して、自動クリーンアップの設定画面をモニタ装置４０の画面４０ａに表示する（図３（ｂ）参照）。そして、リモコン装置３０のカーソルキー３０ｂと決定キー３０ｃとのキー操作により自動クリーンアップの設定画面に表示された設定項目の自動クリーンアップのＯＮ／ＯＦＦ、録画データの保存期間、録画データを消去しないジャンル、ダビング用データの保存期間、ダビング用データを消去しないジャンル、ロック機能のＯＮ／ＯＦＦが設定されると、マイコン１６は、メモリ制御部１９に制御信号を送出して、設定された自動クリーンアップの設定をＲＡＭ１７に記憶する。録画データ、ダビング用データを消去しないジャンルとしては、映画、ドラマ、スポーツ、ニュース、バラエティ等から選択する。
デジタル放送のテレビ放送番組の録画が開始すると、マイコン１６は、デジタルチューナ６に制御信号を送出して、アンテナ２１により受信されたテレビ放送電波から選択されたチャンネルのデジタル放送のテレビ放送を受信し、ストリーム処理部５に制御信号を送出して、ストリーム処理部５によりデジタル放送のテレビ放送番組の映像音声データのタイムスタンプ処理を行い、ストレージ制御部４に制御信号を送出して、受信したデジタル放送のテレビ放送番組の映像音声データをＨＤＤ部２の第１の記憶領域２ａに録画するとともに、ダビングデータの自動作成がＯＮになっている場合、エンコーダ９、解像度変換部１０、デコーダ１１に制御信号を送出して、バックグラウンドで、受信したデジタル放送のテレビ放送番組の映像音声データをデコーダ１１により復号し、復号された映像音声データを予め設定されたダビングモードのビットレートの映像音声データに解像度変換部１０により変換して、ビットレートが変換された映像音声データをエンコーダ９によりＤＶＤフォーマットで符号化して、符号化された映像音声データをダビング用データとしてＨＤＤ部２の第２の記憶領域２ｂに録画する。
また、アナログ放送のテレビ放送番組の録画を開始すると、マイコン１６は、アナログチューナ７に制御信号を送出して、アンテナ２１により受信されたテレビ放送電波から選択されたチャンネルのアナログ放送のテレビ放送を受信し、エンコーダ９、解像度変換部１０、デコーダ１１に制御信号を送出して、受信したアナログ放送のテレビ放送番組の映像音声信号をデジタル信号の映像音声データに変換して符号化し、符号化された映像音声データを多重化してＨＤＤ部２の第１の記憶領域２ａに録画する。そして、ダビングデータの自動作成がＯＮになっている場合、テレビ放送番組の録画が終了すると、マイコン１６は、ストレージ制御部４、ストリーム処理部５、エンコーダ９、解像度変換部１０、デコーダ１１に制御信号を送出して、ＨＤＤ部２の第１の記憶領域２ａに録画された映像音声データをデコーダ１１により復号し、復号された映像音声データを予め設定されたダビングモードのビットレートの映像音声データに解像度変換部１０により変換して、ビットレートが変換された映像音声データをエンコーダ９によりＤＶＤフォーマットで符号化して、符号化された映像音声信号をダビング用データとしてＨＤＤ部２の第２の記憶領域２ｂに録画する。
リモコン装置３０の再生キー３０ｄのリモコン信号を受信すると、マイコン１６は、ストレージ制御部４、デコーダ１１、ＤＡ変換回路１２に制御信号を送出して、ＨＤＤ部２の第１の記憶領域２ａに録画されたテレビ放送番組のデジタル信号の映像音声データをデコーダ１１により復号し、復号されたデジタル信号の映像音声データをＤＡ変換回路１２によりアナログ信号の映像音声信号に変換して、モニタ装置４０に映像音声信号を送出して録画されたテレビ放送番組の映像音声データを再生する。そして、リモコン装置３０の停止キー３０ｅのリモコン信号を受信すると、マイコン１６は、ストレージ制御部４に制御信号を送出して、ＨＤＤ部２の第１の記憶領域２ａに録画されたテレビ放送番組の映像音声データの再生を停止する。
また、リモコン装置のメニュキー３０ａのキー操作によりモニタ装置３０のメニュ画面（図示せず）のＤＶＤへのダビングが選択されると、マイコン１６は、ストレージ制御部４に制御信号を送出して、ＨＤＤ部２の第２の記憶領域２ｂにダビング用データとして録画された映像音声データをＤＶＤ部３に転送してＤＶＤに高速ダビングする。ＨＤＤ部２の第２の記憶領域２ｂにダビング用データとして録画された映像音声データは、予め設定されたダビングモードのビットレートの映像音声データに変換され、既に、ＤＶＤフォーマットで符号化されているので、映像音声データの符号化処理を伴わず、最大転送速度でＤＶＤに転送して高速ダビングすることができる。
次に、録画再生装置１の自動クリーンアップ動作について説明する。テレビ放送番組の録画が終了した場合、或いは録画再生装置１の動作が停止しているときに所定時間が経過する毎に、マイコン１６は、ストレージ制御部４に制御信号を送出して、ＨＤＤ部２の第１の記憶領域２ａ、第２の記憶領域２ｂに録画された各映像音声データのタグデータのロック機能のＯＮ／ＯＦＦ、視聴済み、録画後の経過時間、ダビング済み、保護優先ジャンル、継続視聴中等の複数の評価項目毎の評価点数を評価して、その評価点数を合計して映像音声データの保存優先度を評価する。視聴済みの評価点数は、映像音声データの視聴済み時間の割合により評価し、未視聴の場合、所定の満点にして、映像音声データの全録画時間に対する視聴済み時間の割合に応じて視聴済み評価点数を減点する。例えば、未視聴の場合、視聴済み評価点数を１００点にして、映像音声データが９８％視聴された場合、評価点数を２点減点する。なお、録画されたテレビ放送番組の映像の視聴中に、所定時間、例えば、１分経過する毎に、視聴済み時間の割合に応じて視聴済み評価点数を減点するようにするとよい。録画後の経過時間の評価点数は、録画直後に所定の満点にして、録画後所定時間経過する毎に減点する。例えば、録画直後に経過時間評価点数を１００点にして、１日経過する毎に７点ずつ減点する。ダビング済みの評価点数は、ダビング済みでない場合、所定の満点、例えば、１０点にして、ダビング済みの場合、０点にする。保存優先ジャンルの評価点数は、保存優先ジャンルである場合、所定の満点、例えば、１００点にして、保存優先ジャンルでない場合、０点にする。継続視聴中の評価点数は、継続視聴中の映像データの録画件数に応じた評価点数、例えば、同時刻の録画回数が６回の場合、６点にする。なお、継続視聴中の映像音声データは、所定日数経過したとき、消去する。例えば、録画後３ヶ月経過した継続視聴中の映像音声データを消去する。
ＨＤＤ部２の第１の記憶領域２ａの空き容量が不足したとき、保存優先度の低い録画された映像音声データをＨＤＤ部２の第１の記憶領域２ａから消去して空き容量を確保し、第２の記憶領域２ｂの空き容量が不足したとき、保存優先度の低いダビング用データとして録画された映像音声データをＨＤＤ部２の第２の記憶領域２ｂから消去して空き容量を確保する。ＨＤＤ部２の第１の記憶領域２ａ、第２の記憶領域２ｂの空き容量が空き容量より不足したとき、例えば、図４に示すように、映像音声データの複数の評価項目の評価点数が評価され、その評価点数が合計されて営造音声データの保存優先度が評価された場合、ロック機能がＯＮになっている番組Ａが消去対象から除外されて、評価点数合計が１５３点の番組Ｂの映像音声データ、評価点数合計が１７２点の番組Ｄの映像音声データ、評価点数合計が２０９点の番組Ｃの映像音声データ順に消去されて、ＨＤＤ部２の第１の記憶領域、第２の記憶領域の空き容量が確保される。ＨＤＤ部２の第１の記憶領域２ａの空き容量としては、例えば、２４ＭｂｐｓのＸＰモードの映像音声データを６時間分録画できるように６５ＧＢ程度を確保するようにするとよい。また、ＨＤＤ部２の第２の記憶領域２ｂの空き容量としては、例えば、録画された６時間分のＸＰモードの映像音声データをダビング用データとして５ＭｂｐｓのＳＰモードの映像音声データを録画することができるように１４ＧＢ程度を確保するようにするとよい。
また、図５の本発明の一実施例の録画再生装置の録画動作を示すフローチャートを基に説明する。
テレビ放送番組の録画が開始されると、ステップＳ１からステップＳ２に進み、受信したテレビ放送がデジタル放送であるか否かが判断され、受信したテレビ放送がデジタル放送である場合、ステップＳ３に進み、受信したテレビ放送がデジタル放送でなくアナログ放送である場合、ステップＳ６に進む。
ステップＳ３で、受信したデジタル放送のテレビ放送番組の映像音声データのタイムスタンプ処理が行われて、ステップＳ４に進む。
ステップＳ４で、受信したデジタル放送のテレビ放送番組の映像音声データがＨＤＤ部の第１の記憶領域に録画されるとともに、バックグラウンドで、受信したデジタル放送のテレビ放送番組の映像音声データが復号され、予め設定されたダビングモードのビットレートの映像音声データに変換されて、ビットレートが変換された映像音声データがＤＶＤフォーマットで符号化されてダビング用データとしてＨＤＤ部の第２の記憶領域に録画され、ステップＳ５に進む。
ステップＳ５で、テレビ放送番組の録画が終了したか否かが判断され、テレビ放送番組の録画が終了した場合、ステップＳ９に進んで処理を終了し、テレビ放送番組の録画が終了していない場合、ステップＳ４に戻って、ステップＳ４からのステップを繰り返す。
ステップＳ６で、受信したアナログ放送のテレビ放送番組の映像音声信号がデジタル信号の映像音声データに変換されて符号化され、符号化された映像音声データが多重化されてＨＤＤ部の第１の記憶領域に録画され、ステップＳ５に進む。
ステップＳ７で、テレビ放送番組の録画が終了したか否かが判断され、テレビ放送番組の録画が終了した場合、ステップＳ８に進み、テレビ放送番組の録画が終了していない場合、ステップＳ６に戻ってステップＳ６からのステップを繰り返す。
ステップＳ８で、ＨＤＤ部の第１の記憶領域に録画された映像音声データが復号され、予め設定されたダビングモードのビットレートの映像音声データに変換されて、ビットレートが変換された映像音声データがＤＶＤフォーマットで符号化されてダビング用データとしてＨＤＤ部の第２の記憶領域に録画され、ステップＳ９に進んで処理を終了する。
また、図６の本発明の一実施例の録画再生装置の再生／ダビング動作を示すフローチャートを基に説明する。
リモコン装置のキー操作により、映像音声データの再生又はダビングが指令されると、ステップＳ１１からステップＳ１２に進み、リモコン装置のキー操作により映像音声データの再生が指令されたか否かが判断され、映像音声データの再生が指令された場合、ステップＳ１３に進み、映像音声データの再生が指令されていない場合、ステップＳ１５に進む。
ステップＳ１３で、ＨＤＤ部の第１の記憶領域に録画されたテレビ放送番組の映像音声データが再生され、ステップＳ１４に進む。
ステップＳ１４で、リモコン装置のキー操作により映像音声データの再生の停止が指令されたか否かが判断され、映像音声データの再生の停止が指令された場合、ステップＳ１５に進み、映像音声データの再生の停止が指令されていない場合、ステップＳ１３に戻って、ステップＳ１３からのステップを繰り返す。
ステップＳ１５で、リモコン装置のキー操作により映像音声データのＤＶＤ部のＤＶＤへのダビングが指令されたか否かが判断され、映像音声データのＤＶＤ部のＤＶＤへのダビングが指令された場合、ステップＳ１６に進み、映像音声データの映像音声データのＤＶＤ部のＤＶＤへのダビングが指令されていない場合、ステップＳ１７に進んで処理を終了する。
ステップＳ１６で、ＨＤＤ部の第２の記憶領域にダビング用データとして録画された映像音声データがＤＶＤ部に転送されてＤＶＤ部のＤＶＤに高速ダビングされ、ステップＳ１７に進んで処理を終了する。
また、図７の本発明の一実施例の録画再生装置の自動クリーンアップ動作を示すフローチャートを基に説明する。
テレビ放送番組の録画が終了した場合、或いは録画再生装置の動作が停止しているときに所定時間が経過する毎に、ステップＳ２１からステップＳ２２に進み、ＨＤＤ部の第１の記憶領域に録画された映像音声データが視聴されたか否かが判断され、ＨＤＤ部の第１の記憶領域に録画された映像音声データが視聴された場合、ステップＳ２３に進み、ＨＤＤ部の第１の記憶領域に録画された映像音声データが視聴されていない場合、ステップＳ２４に進む。
ステップＳ２３で、ＨＤＤ部の第１の記憶領域に録画された映像音声データの全録画時間に対する視聴済み時間の割合に応じて、ＨＤＤ部の第１の記憶領域に録画された映像音声データの視聴済みの評価点数が減点され、ステップＳ２４に進む。
ステップＳ２４で、ＨＤＤ部の第１、第２の記憶領域に録画された映像音声データが録画後所定時間経過したか否かが判断され、ＨＤＤ部の第１、第２の記憶領域に録画された映像音声データが録画後所定時間経過した場合、ステップＳ２５に進み、ＨＤＤ部の第１、第２の記憶領域に録画された映像音声データが録画後所定時間経過していない場合、ステップＳ２６に進む。
ステップＳ２５で、ＨＤＤ部の第１、第２の記憶領域に録画された映像音声データの録画後の経過時間に応じて録画後の経過時間の評価点数が減点され、ステップＳ２６に進む。
ステップＳ２６で、ＨＤＤ部の第２の記憶領域にダビング用データとして録画された映像音声データがダビング済みであるか否かが判断され、ＨＤＤ部の第２の記憶領域にダビング用データとして録画された映像音声データがダビング済みである場合、ステップＳ２７に進み、ＨＤＤ部の第２の記憶領域にダビング用データとして録画された映像音声データがダビング済みでない場合、ステップＳ２８に進む。
ステップＳ２７で、ＨＤＤ部の第２の記憶領域にダビング用データとして録画された映像音声データのダビング済みの評価点数が０点にされ、ステップＳ２９に進む。
ステップＳ２８で、ＨＤＤ部の第２の記憶領域にダビング用データとして録画された映像音声データのダビング済みの評価点数が所定の満点にされ、ステップＳ２９に進む。
ステップＳ２９で、ＨＤＤ部の第１、第２の記憶領域に録画された映像音声データのジャンルが保存優先ジャンルであるか否かが判断され、ＨＤＤ部の第１、第２の記憶領域に録画された映像音声データのジャンルが保存優先ジャンルである場合、ステップＳ３０に進み、ＨＤＤ部の第１、第２の記憶領域に録画された映像音声データのジャンルが保存優先ジャンルでない場合、ステップＳ３１に進む。
ステップＳ３０で、ＨＤＤ部の第１、第２の記憶領域に録画された映像音声データの保存優先ジャンルの評価点数が所定の満点にされ、ステップＳ３２に進む。
ステップＳ３１で、ＨＤＤ部の第１、第２の記憶領域に録画された映像音声データの保存優先ジャンルの評価点数が０点にされ、ステップＳ３２に進む。
ステップＳ３２で、ＨＤＤ部の第１の記憶領域に録画された映像音声データのテレビ放送番組が継続視聴中であるか否かが判断され、ＨＤＤ部の第１の記憶領域に録画された映像音声データのテレビ放送番組が継続視聴中である場合、ステップＳ３３に進み、ＨＤＤ部の第１の記憶領域に録画された映像音声データのテレビ放送番組が継続視聴中でない場合、ステップＳ３５に進む。
ステップＳ３３で、ＨＤＤ部の第１の記憶領域に録画された継続視聴中のテレビ放送番組の映像音声データの録画件数に応じた継続視聴中の評価点数にされ、ステップＳ３４に進む。
ステップＳ３４で、ＨＤＤ部の第１の記憶領域に録画された継続視聴中の映像音声データが録画後所定日数経過したか否かが判断され、ＨＤＤ部の第１の記憶領域に録画された継続視聴中の映像音声データが録画後所定日数経過した場合、ステップＳ３６に進み、ＨＤＤ部の第１の記憶領域に録画された継続視聴中の映像音声データが録画後所定日数経過していない場合、ステップＳ３７に進む。
ステップＳ３５で、ＨＤＤ部の第１の記憶領域に録画された継続視聴中の映像音声データの継続視聴中の評価点数が０点にされ、ステップＳ３７に進む。
ステップＳ３６で、ＨＤＤ部の第１の記憶領域に録画された継続視聴中の映像音声データ中の所定日数経過した映像音声データが消去され、ステップＳ３７に進む。
ステップＳ３７で、ＨＤＤ部の第１、第２の記憶領域に所定の空き容量があるか否かが判断され、ＨＤＤ部の第１、第２の記憶領域に所定の空き容量がある場合、ステップＳ３９に進んで処理を終了し、ＨＤＤ部の第１、第２の記憶領域に所定の空き容量がない場合、ステップＳ３８に進む。
ステップＳ３８で、ＨＤＤ部の第１、第２の記憶領域に録画された映像音声データの評価点数が合計されて保持優先度が評価され、保存優先度の低い映像音声データがＨＤＤ部の第１、及び第２の記憶領域から消去されて、ステップＳ３９に進んで処理を終了する。
以上、本発明を実施するための最良の形態について詳述したが、本発明はこれに限らず、当業者の通常の知識の範囲内でその変形や改良が可能である。例えば、ＨＤＤ部を２つの記憶領域に分割して、ＨＤＤ部の第１の記憶領域にテレビ放送番組の映像音声データを録画し、第２の記憶領域にＤＶＤに映像音声データをダビングするためのダビング用データを作成することを説明したが、ＨＤＤ部を２つ設け、第１のＨＤＤ部にテレビ放送番組の映像音声データを録画し、第２のＨＤＤ部にＤＶＤに映像音声データをダビングするためのダビング用データを作成するようにしてもよい。
【図面の簡単な説明】
【０００７】
【図１】本発明の一実施例の録画再生装置の構成を示すブロック図である。
【図２】本発明の一実施例の録画再生装置のリモコン装置を示す説明図である。
【図３】本発明の一実施例の録画再生装置の動作設定を示す説明図である。
【図４】本発明の一実施例の録画再生装置の評価点数の一例を示す説明図である。
【図５】本発明の一実施例の録画再生装置の録画動作を示すフローチャートである。
【図６】本発明の一実施例の録画再生装置の再生／ダビング動作を示すフローチャートである。
【図７】本発明の一実施例の録画再生装置の自動クリーンアップ動作を示すフローチャートである。
【符号の説明】
【０００８】
１  録画再生装置
２  ＨＤＤ部
２ａ  第１の記憶領域
２ｂ  第２の記憶領域
３  ＤＶＤ部
４  ストレージ制御部
５  ストリーム処理部
６  デジタルチューナ
７  アナログチューナ
８  ＡＤ変換回路
９  エンコーダ
１０  解像度変換部
１１  デコーダ
１２  ＤＡ変換回路
１３  ＯＳＤ回路
１４  リンクレイヤ
１５  物理レイヤ
１６  マイコン
１７  ＲＡＭ
１８  ＲＯＭ
１９  メモリ制御部
２０  リモコン受信部
２１  アンテナ
３０  リモコン装置
３０ａ  メニュキー
３０ｂ  カーソルキー
３０ｃ  決定キー
３０ｄ  再生キー
３０ｅ  停止キー
４０  モニタ装置
４０ａ  画面
【図１】
2005260562.tif 000003
【図２】
2005260562.tif 000004
【図３】
2005260562.tif 000005
【図４】
2005260562.tif 000006
【図５】
2005260562.tif 000007
【図６】
2005260562.tif 000008
【図７】
2005260562.tif 000009